【手続補正書】
【提出日】平成24年11月27日(2012.11.27)
【手続補正１】
【補正対象書類名】明細書
【補正対象項目名】発明の名称
【補正方法】変更
【補正の内容】
【発明の名称】情報処理装置及びその制御方法、並びにプログラム
【手続補正２】
【補正対象書類名】明細書
【補正対象項目名】０００１
【補正方法】変更
【補正の内容】
【０００１】
本発明は、ＷＥＢサーバからコンテンツを取得して表示部に表示する情報処理装置及びその制御方法、並びにプログラムに関する。
【手続補正３】
【補正対象書類名】明細書
【補正対象項目名】００１５
【補正方法】変更
【補正の内容】
【００１５】
本発明の目的は、予め設定された信頼のおけるＷＥＢサーバからコンテンツを取得した場合はアドレスバーを非表示にし、操作表示領域を有効活用したコンテンツ表示を可能にする。さらに、予め設定されていないＷＥＢサーバから取得したコンテンツを表示する場合には、アドレスバーによるＵＲＬアドレスの表示を行う。これによって、ユーザが、現在表示しているコンテンツがどのＷＥＢサーバから取得されたものなのかを確認できるようにした情報処理装置及びその制御方法、並びにプログラムを提供することにある。
【手続補正４】
【補正対象書類名】明細書
【補正対象項目名】００１６
【補正方法】変更
【補正の内容】
【００１６】
上記目的を達成するために、本発明の情報処理装置は、指定されたアドレスに基づいて、当該アドレスに対応するコンテンツをＷＥＢサーバから取得するコンテンツ取得手段と、前記コンテンツ取得手段によって取得したコンテンツを表示部に表示するコンテンツ表示手段と、前記指定されたアドレスを前記表示部に表示するアドレス表示手段と、前記指定されたアドレスが特定のアドレスである場合に、前記コンテンツ取得手段によるコンテンツの取得を許可し、前記指定されたアドレスが前記特定のアドレスでない場合は、前記コンテンツ取得手段によるコンテンツの取得を制限する取得制御を行う取得制御手段と、前記取得制御手段による取得制御が行われている場合で、かつ前記コンテンツ表示手段がコンテンツを表示する場合は、前記アドレス表示手段によるアドレスの表示を行わず、前記取得制御手段による取得制御が行われていない場合で、かつ前記コンテンツ表示手段がコンテンツを表示する場合は、前記アドレス表示手段によるアドレスの表示を行うように制御する表示制御手段と、を備えることを特徴とする。
【手続補正５】
【補正対象書類名】特許請求の範囲
【補正対象項目名】全文
【補正方法】変更
【補正の内容】
【特許請求の範囲】
【請求項１】
指定されたアドレスに基づいて、当該アドレスに対応するコンテンツをＷＥＢサーバから取得するコンテンツ取得手段と、
前記コンテンツ取得手段によって取得したコンテンツを表示部に表示するコンテンツ表示手段と、
前記指定されたアドレスを前記表示部に表示するアドレス表示手段と、
前記指定されたアドレスが特定のアドレスである場合に、前記コンテンツ取得手段によるコンテンツの取得を許可し、前記指定されたアドレスが前記特定のアドレスでない場合は、前記コンテンツ取得手段によるコンテンツの取得を制限する取得制御を行う取得制御手段と、
前記取得制御手段による取得制御が行われている場合で、かつ前記コンテンツ表示手段がコンテンツを表示する場合は、前記アドレス表示手段によるアドレスの表示を行わず、前記取得制御手段による取得制御が行われていない場合で、かつ前記コンテンツ表示手段がコンテンツを表示する場合は、前記アドレス表示手段によるアドレスの表示を行うように制御する表示制御手段と、
を備えることを特徴とする情報処理装置。
【請求項２】
ユーザによる操作に従って、前記特定のアドレスを入力する入力手段と、
前記入力手段によって入力された前記特定のアドレスを保持する保持手段と、
をさらに備えることを特徴とする請求項１に記載の情報処理装置。
【請求項３】
前記取得制御手段による取得制御を行うか否かを設定する設定手段をさらに備えることを特徴とする請求項１または２に記載の情報処理装置。
【請求項４】
前記指定されたアドレス及び前記特定のアドレスは、ＵＲＬアドレスであることを特徴とする請求項１から３のいずれか１項に記載の情報処理装置。
【請求項５】
前記表示手段は、前記取得制御手段による取得制御が行われている場合、前記コンテンツ表示手段によるコンテンツの表示を、前記アドレス表示手段によるアドレスの表示を行うときよりも大きなサイズで行うように制御することを特徴とする請求項１から４のいずれか１項に記載の情報処理装置。
【請求項６】
前記取得制御手段による取得制御が行われている場合、前記指定されたアドレスに対応するコンテンツを格納するＷＥＢサーバへのアクセスを禁止することを特徴とする請求項１から５のいずれか１項に記載の情報処理装置。
【請求項７】
指定されたアドレスに基づいて、当該アドレスに対応するコンテンツをＷＥＢサーバから取得するコンテンツ取得工程と、
前記コンテンツ取得工程で取得したコンテンツを表示部に表示するコンテンツ表示工程と、
前記指定されたアドレスを前記表示部に表示するアドレス表示工程と、
前記指定されたアドレスが特定のアドレスである場合に、前記コンテンツ取得工程でのコンテンツの取得を許可し、前記指定されたアドレスが前記特定のアドレスでない場合は、前記コンテンツ取得工程でのコンテンツの取得を制限する取得制御を行う取得制御工程と、
前記取得制御工程における取得制御が行われている場合で、かつ前記コンテンツ表示工程でコンテンツを表示する場合は、前記アドレス表示工程におけるアドレスの表示を行わず、前記取得制御手段における取得制御が行われていない場合で、かつ前記コンテンツ表示工程でコンテンツを表示する場合は、前記アドレス表示工程におけるアドレスの表示を行うように制御する表示制御工程と、
を備えることを特徴とする情報処理装置の制御方法。
【請求項８】
コンピュータに、
指定されたアドレスに基づいて、当該アドレスに対応するコンテンツをＷＥＢサーバから取得するコンテンツ取得工程と、
前記コンテンツ取得工程で取得したコンテンツを表示部に表示するコンテンツ表示工程と、
前記指定されたアドレスを前記表示部に表示するアドレス表示工程と、
前記指定されたアドレスが特定のアドレスである場合に、前記コンテンツ取得工程でのコンテンツの取得を許可し、前記指定されたアドレスが前記特定のアドレスでない場合は、前記コンテンツ取得工程でのコンテンツの取得を制限する取得制御を行う取得制御工程と、
前記取得制御工程における取得制御が行われている場合で、かつ前記コンテンツ表示工程でコンテンツを表示する場合は、前記アドレス表示工程におけるアドレスの表示を行わず、前記取得制御手段における取得制御が行われていない場合で、かつ前記コンテンツ表示工程でコンテンツを表示する場合は、前記アドレス表示工程におけるアドレスの表示を行うように制御する表示制御工程と、
を実行させることを特徴とするプログラム。
【請求項９】
アクセス制限設定が有効であるか否かを判定する第１判定手段と、
指定されたアドレスが、アクセス許可アドレスと一致するか否かを判定する第２判定手段と、
前記アクセス制限設定が有効であると前記第１判定手段により判定され、かつ前記指定されたアドレスが前記アクセス許可アドレスと一致すると前記第２判定手段により判定された場合、前記指定されたアドレスに対応するコンテンツを、前記指定されたアドレスを表示することなく表示し、前記アクセス制限設定が有効であると前記第１判定手段により判定され、かつ前記指定されたアドレスがアクセス許可アドレスと一致しないと前記第２判定手段により判定された場合、前記指定されたアドレスに対応するコンテンツを表示することを制限し、前記アクセス制限設定が有効でないと前記第１判定手段により判定された場合、前記指定されたアドレスに対応するコンテンツを、前記指定されたアドレスとともに表示する表示手段と、
を備えることを特徴とする情報処理装置。
【請求項１０】
ユーザによる操作に従って、前記特定のアドレスを入力する入力手段と、
前記入力手段によって入力された前記特定のアドレスを保持する保持手段と、
をさらに備えることを特徴とする請求項９に記載の情報処理装置。
【請求項１１】
前記取得制御手段による取得制御を行うか否かを設定する設定手段をさらに備えることを特徴とする請求項９または１０に記載の情報処理装置。
【請求項１２】
前記指定されたアドレス及び前記特定のアドレスは、ＵＲＬアドレスであることを特徴とする請求項９から１１のいずれか１項に記載の情報処理装置。
【請求項１３】
アクセス制限設定が有効であるか否かを判定する第１判定工程と、
指定されたアドレスが、アクセス許可アドレスと一致するか否かを判定する第２判定工程と、
前記アクセス制限設定が有効であると前記第１判定工程で判定され、かつ前記指定されたアドレスが前記アクセス許可アドレスと一致すると前記第２判定工程で判定された場合、前記指定されたアドレスに対応するコンテンツを、前記指定されたアドレスを表示することなく表示し、前記アクセス制限設定が有効であると前記第１判定工程で判定され、かつ前記指定されたアドレスがアクセス許可アドレスと一致しないと前記第２判定工程で判定された場合、前記指定されたアドレスに対応するコンテンツを表示することを制限し、前記アクセス制限設定が有効でないと前記第１判定工程で判定された場合、前記指定されたアドレスに対応するコンテンツを、前記指定されたアドレスとともに表示する表示工程と、
を有することを特徴とする情報処理装置の制御方法。
【請求項１４】
コンピュータに、
アクセス制限設定が有効であるか否かを判定する第１判定工程と、
指定されたアドレスが、アクセス許可アドレスと一致するか否かを判定する第２判定工程と、
前記アクセス制限設定が有効であると前記第１判定工程で判定され、かつ前記指定されたアドレスが前記アクセス許可アドレスと一致すると前記第２判定工程で判定された場合、前記指定されたアドレスに対応するコンテンツを、前記指定されたアドレスを表示することなく表示し、前記アクセス制限設定が有効であると前記第１判定工程で判定され、かつ前記指定されたアドレスがアクセス許可アドレスと一致しないと前記第２判定工程で判定された場合、前記指定されたアドレスに対応するコンテンツを表示することを制限し、前記アクセス制限設定が有効でないと前記第１判定工程で判定された場合、前記指定されたアドレスに対応するコンテンツを、前記指定されたアドレスとともに表示する表示工程と、
を実行させることを特徴とするプログラム。